(57)【要約】【課題】洗剤ケースに洗剤投入時に手を水に濡らすことのない洗濯機を提供すること。【解決手段】洗濯兼脱水槽５に投入された洗濯物の量を布量判定手段により判定し、判定した布量に応じた洗剤量を操作表示部２９の表示部３０に表示し、所定の時間を経過した後に、給水弁１８による給水を開始する構成としたことにより、洗剤ケース１９を引き出して洗剤を入れようとした時に、洗剤を投入するためのスプーンや手に給水の水が掛かるのを防止して洗剤を投入することできるので、濡れたスプーンを洗剤箱内に戻した時に洗剤が濡れて固化させることを防止できる。【選択図】図１
2014176447.tif 000002
【特許請求の範囲】
【請求項１】
衣類を収容する洗濯兼脱水槽と、前記洗濯兼脱水槽を回転自在に内包する水槽と、前記水槽に給水を行う給水弁と、洗濯機本体上部に設けた上部枠体と、前記上部枠体に設けた洗剤ケースと、前記洗剤ケースを収納し前記給水弁と連通する注水部を有する注水ケースと、前記注水部に設けられ前記洗濯兼脱水槽の中心方向に向けて注水する第１注水孔と、前記注水部に設けられ前記洗濯兼脱水槽の外周壁方向に向けて注水する第２注水孔と、前記洗濯兼脱水槽に投入された洗濯物の量を判定する布量判定手段と、前記給水弁の動作を制御するとともに前記布量判定手段の出力に基づいて布量に応じた洗剤量を判定する制御手段と、前記洗剤量を表示する表示部とを備え、前記制御手段は、前記表示部に洗剤量を表示した後、所定時間経過後に前記給水弁を開いて給水を開始するようにした洗濯機。
【発明の詳細な説明】
【技術分野】
【０００１】
本発明は、洗い、すすぎ、脱水行程を自動制御して行なう洗濯機に関するものである。
【背景技術】
【０００２】
従来、この種の洗濯機は、洗濯物を収容する洗濯兼脱水槽を上方から臨む位置に、洗剤を収容する洗剤ケースを有し、運転開始の給水時に、投入された洗剤を水とともに洗濯兼脱水槽内へ供給する構成が提案されている（例えば、特許文献１参照）。
【０００３】
図６は、特許文献１に記載された従来の洗濯機の縦断面図である。
【０００４】
図６において、外箱４３内部には、弾性支持機構５７により水槽５１を垂下防振支持しつつ収容し、水槽５１内には、衣類撹拌用のパルセータ４８を回転自在に配した有底略円筒状をなし周壁に多数の小孔を有する洗濯兼脱水槽４１を回転自在に配している。パルセータ４８および洗濯兼脱水槽４１は、水槽５１の外底部に固定したモータ６０により回転駆動される。洗濯兼脱水槽４１の上部には、内部にバランサ液を封入した環状の流体バランサ４２が取り付けられており、脱水時の振動を低減している。
【０００５】
外箱４３の上部には上部枠体６１を装着し、上部枠体６１の後部内方には給水弁５３が設けられ、給水弁５３は、第１の給水弁５３ａと第２の給水弁５３ｂとで構成されている。
【０００６】
第１の給水弁５３ａは、内部ホース５４を介して給水ノズル４５に接続されており、給水時は、給水ノズル４５、および、洗剤を投入した洗剤ケース４６を介して給水口４７から洗濯兼脱水槽４１内に洗剤と共に給水される。
【０００７】
第２の給水弁５３ｂは、内部ホース５５を介して、給水ノズル４５の上部位置に設けられたシャワーノズル５２に接続されており、給水時は、シャワーノズル５２から洗濯兼脱水槽４１内の洗濯物に向かってシャワー状に給水される。
【０００８】
以上の構成にて、洗濯をする場合、洗濯兼脱水槽４１に洗濯物を投入した後に、電源スイッチ（図示せず）をオンにして、スタートスイッチ（図示せず）をオンにすると、パルセータ４８を回転させて投入した布量を判定し、操作表示部（図示せず）に布量に応じた洗剤量を表示して使用者に使用する洗剤量を伝え、給水弁５３を開いて給水を開始する。
【先行技術文献】
【特許文献】
【０００９】
【特許文献１】特開平８−８９６８６号公報
【発明の概要】
【発明が解決しようとする課題】
【００１０】
しかしながら、前記従来の構成では、洗剤量を表示して使用者に使用する洗剤量を伝えると、ただちに給水弁を開き給水を開始するために、洗剤ケースを引き出して洗剤を入れようとした時に、洗剤を投入するためのスプーンや手に給水の水が掛かり、濡れたスプーンを洗剤箱内に戻した時に洗剤が濡れて固化させてしまうという課題を有していた。
【００１１】
本発明は、前記従来の課題を解決するもので、手及びスプーンが水で濡れることなく洗剤を投入できる洗濯機を提供することを目的とする。
【課題を解決するための手段】
【００１２】
前記従来の課題を解決するために、本発明の洗濯機は、衣類を収容する洗濯兼脱水槽と、前記洗濯兼脱水槽を回転自在に内包する水槽と、前記水槽に給水を行う給水弁と、洗濯機本体上部に設けた上部枠体と、前記上部枠体に設けた洗剤ケースと、前記洗剤ケースを収納し前記給水弁と連通する注水部を有する注水ケースと、前記注水部に設けられ前記洗濯兼脱水槽の中心方向に向けて注水する第１注水孔と、前記注水部に設けられ前記洗濯兼脱水槽の外周壁方向に向けて注水する第２注水孔と、前記洗濯兼脱水槽に投入された洗濯物の量を判定する布量判定手段と、前記給水弁の動作を制御するとともに前記布量判定手段の出力に基づいて布量に応じた洗剤量を判定する制御手段と、前記洗剤量を表示する表示部とを備え、前記制御手段は、前記表示部に洗剤量を表示した後、所定時間経過後に前記給水弁を開いて給水を開始するようにしたものである。
【００１３】
これにより、洗剤ケースを引き出して洗剤を入れようとした時に、洗剤を投入するためのスプーンや手に給水の水が掛かるのを防止して洗剤を投入することできるので、濡れたスプーンを洗剤箱内に戻した時に洗剤が濡れて固化させることを防止できる。
【発明の効果】
【００１４】
本発明の洗濯機は、洗剤ケースへ洗剤を投入する際に、洗剤を投入するためのスプーンや手が水に濡れることを防止することができるので、濡れたスプーンを洗剤箱内に戻した時に洗剤が濡れて固化させることを防止できる。
【図面の簡単な説明】
【００１５】
【図１】本発明の実施の形態における洗濯機の縦断面図
【図２】同洗濯機の注水装置回りの要部断面図
【図３】同洗濯機の注水装置回りの要部分解斜視図
【図４】同洗濯機の操作表示部の正面図
【図５】同洗濯機の運転開始から給水までのフローチャート
【図６】従来の洗濯機の縦断面図
【発明を実施するための形態】
【００１６】
第１の発明は、衣類を収容する洗濯兼脱水槽と、前記洗濯兼脱水槽を回転自在に内包する水槽と、前記水槽に給水を行う給水弁と、洗濯機本体上部に設けた上部枠体と、前記上部枠体に設けた洗剤ケースと、前記洗剤ケースを収納し前記給水弁と連通する注水部を有する注水ケースと、前記注水部に設けられ前記洗濯兼脱水槽の中心方向に向けて注水する第１注水孔と、前記注水部に設けられ前記洗濯兼脱水槽の外周壁方向に向けて注水する第２注水孔と、前記洗濯兼脱水槽に投入された洗濯物の量を判定する布量判定手段と、前記給水弁の動作を制御するとともに前記布量判定手段の出力に基づいて布量に応じた洗剤量を判定する制御手段と、前記洗剤量を表示する表示部とを備え、前記制御手段は、前記表示部に洗剤量を表示した後、所定時間経過後に前記給水弁を開いて給水を開始するようにしたことにより、洗剤ケースを引き出して洗剤を入れようとした時に、洗剤を投入するためのスプーンや手に給水の水が掛かるのを防止して洗剤を投入することできるので、濡れたスプーンを洗剤箱内に戻した時に洗剤が濡れて固化させることを防止できる。
【００１７】
以下、発明の実施の形態について、図面を参照しながら説明する。また、この実施の形態によって本発明が限定されるものではない。
【００１８】
（実施の形態１）
図１は、本発明の実施の形態における洗濯機の縦断面図、図２は、同洗濯機の注水装置回りの要部断面図、図３は、同洗濯機の注水装置回りの要部分解斜視図である。
【００１９】
図１において、洗濯機本体１は、サスペンション２により水槽３をその内部に懸垂防振支持している。洗濯・脱水軸４は中空で２軸構造としている。水槽３に回転自在に内包された洗濯兼脱水槽５は、側壁に多数の脱水孔６を有するとともに、内周の上部に脱水振動を低減するための流体バランサ７を有し、中央底部には衣類攪拌用のパルセータ８が配設されている。伝達機構部９は、内部に、洗濯時の減速ギア（図示せず）および洗濯・脱水軸４の切り換えクラッチ（図示せず）と、脱水時に洗濯兼脱水槽５を停止するためのブレーキ（図示せず）を内蔵している。
【００２０】
モータ１０は、水槽３の底部に取り付けられ、駆動プーリ１１、ベルト１３、および従動プーリ１２を介して動力を洗濯・脱水軸４に伝達する。
【００２１】
洗濯機本体１の上部には上部枠体１４を配し、上部枠体１４の略中央部には、洗濯兼脱水槽５と外部とを連通するための洗濯物投入取出口１５を形成し、洗濯物投入取出口１５は、強度補強用の蓋裏板３２を裏面に設けた蓋体１６にて開閉自在に覆われている。
【００２２】
上部枠体１４の前方側上部には操作表示部２９が設けられ、運転コース等のモードや各種機能の選択を行なう入力設定部３１（図４参照）と、その設定や進行などを表示する表示部３０（図４参照）とを有している。そして、その操作表示部２９の内方には、モータ１０などの動作を制御し、洗い、すすぎ、脱水の一連の行程を逐次制御する制御手段（図示せず）を有する制御装置１７を配している。
【００２３】
上部枠体１４の後方側の内部には、電磁力により開閉可能な給水弁１８（図３参照）を配設しており、洗濯物投入取出口１５の後部には、洗剤を投入する洗剤ケース１９を前方へ引き出し可能に収納し、給水弁１８とパッキン２０（図３参照）を介して水密保持し連通する注水ケース２１からなる注水装置２２を配設している。
【００２４】
図２および図３において、注水装置２２を構成する注水ケース２１は、上部に注水部２３を設け、この注水部２３は、下部を構成する下部注水部２３ａと上方を覆う上部注水部２３ｂと前面壁２３ｄからなり、下部注水部２３ａと上部注水部２３ｂとを溶着固定することで、給水弁１８と連通する注水部経路２３ｃを形成している。
【００２５】
注水部経路２３ｃの底面壁２３ｅには、１個または複数個の第２注水孔２４ａを設けるとともに、前面壁２３ｄに１個または複数個の第１注水孔２４ｂを設けている。洗剤ケース１９を注水ケース２１に収納した状態での洗剤ケース１９の下方の注水ケース２１には、後方から前方にかけて下方傾斜した流水面２５を設け、前方に注水口２６を設けている。
【００２６】
洗剤ケース１９は、粉末洗剤を投入するための粉末洗剤投入部（洗剤投入部）２７と洗剤ケースを操作する為の取手部２８とから構成されている。
【００２７】
粉末洗剤投入部２７は、箱状に形成され、後面壁２７ａの下部に開口２７ｂが形成されている。これにより、粉末洗剤投入部２７に注水された水は、開口２７ｂから注水ケース２１の流水面２５上に流れ落ちるようにしている。また、粉末洗剤投入部２７の底面２７ｄは、略一定の傾きで後下方向に傾斜している。
【００２８】
取手部２８は、手挿入部２８ａと下部に下方を外方向に湾曲させた注水壁面２８ｂを形成しており、注水ケース２１の流水面２５から流れてきた水が注水壁面２８ｂに当たるように構成し、注水口２６を形成している。
【００２９】
また、注水部経路２３ｃの前面壁２３ｄの第１注水孔２４ｂは、下側壁面２４ｃを前下方向に傾斜させている。
【００３０】
給水時には、注水装置２２に水密保持するパッキン２０を介して、注水部経路２３ｃに水が流れ込む。注水部経路２３ｃに流れ込んだ水は、注水部経路２３ｃの底面壁２３ｅの１個または複数個の第２注水孔２４ａからと、前面壁２３ｄの１個または複数個の第１注水孔２４ｂから水が放出される。
【００３１】
注水部経路２３ｃの底面壁２３ｅの１個または複数個の第２注水孔２４ａから放出された水は、粉末洗剤が投入された粉末洗剤投入部２７に散水される。これにより、粉末洗剤投入部２７には、水が溜まっていくとともに、その水の勢いにより粉末洗剤が溜まっていく水の中で撹拌されて、その水に溶解する。洗剤が溶解した水は、後面壁２７ａ下部の開口２７ｂから、注水ケース２１に流れ落ちて、注水口２６側に向けて下向き傾斜した流水面２５上を流れ、洗剤ケース１９の取手部２８の下部に下方を外方向に湾曲させた注水壁面２８ｂに当るように構成した注水口２６から図２中の矢印Ａ方向、即ち、洗濯兼脱水槽５の中の外周壁側に放出され、この水により洗濯兼脱水槽５の中の外周壁側にある衣類を湿潤状態とし、洗濯兼脱水槽５の中に十分沈み込んだ状態とするようになっている。
【００３２】
また、注水部経路２３ｃの前面壁２３ｄの１個または複数個の第１注水孔２４ｂから勢いよく放出された水は、図２中の矢印Ｂ方向、即ち、洗濯兼脱水槽５の中の中央側に放出される。この水により洗濯兼脱水槽５の中の中央側にある衣類を湿潤状態とし、洗濯兼脱水槽５の中に十分沈み込んだ状態とするようになっている。
【００３３】
そして、シャワーすすぎ時は、この第１注水孔２４ｂと第２注水孔２４ａからの給水により、洗濯兼脱水槽５内の衣類の中の洗剤成分を十分洗い流すようになっている。
【００３４】
以上のように構成した洗濯機について、以下、その動作、作用を説明する。
【００３５】
図４は、本発明の実施の形態における洗濯機の操作表示部の正面図、図５は、同洗濯機の運転開始から給水までのフローチャートである。
【００３６】
図４、図５において、まず、使用者が蓋体１６を開け、洗濯兼脱水槽５に衣類を投入する（ステップＳ１）。そして、操作表示部２９の入力設定部３１にて、電源入りボタン３１ａを押して電源を入れ（ステップＳ２）、コースボタン３１ｃにて好みのコースを選択して（ステップＳ３）、スタート／一時停止ボタン３１ｂを押して（ステップＳ４）、運転をスタートする。
【００３７】
入力設定部３１には、他に、洗いから脱水までの行程を設定する行程ボタン３１ｄ、水位を設定する水位ボタン３１ｅなどが設けられている。水位は、使用者が布量に合わせて自由に設定できるが、使用者が設定しない場合は、制御手段に設けた布量判定手段（図示せず）により判定した布量に基づき自動設定される。また、表示部３０には、設定コースを表示するコース表示灯３０ａ、行程の進行を表示する行程表示灯３０ｂ、布量判定に応じた洗剤量を表示したり、行程の残時間を表示したりするデジタル表示灯３０ｃ、水位を表示する水位表示灯３０ｄなどが設けられている。デジタル表示灯３０ｃに表示される洗剤量は、布量判定手段の出力に基づいて制御手段が決定したもので、布量に応じた適切な洗剤量となっている。
【００３８】
運転をスタートすると、パルセータ８をモータ１０により低速で左右回転して、投入された布量を布量判定手段により検知、判定（ステップＳ５）し、布量に応じた洗剤量をデジタル表示灯３０ｃに表示することにより使用者に洗剤使用量を知らせる（ステップＳ６
）。
【００３９】
ここで、ステップＳ６で洗剤量を表示した後に、給水がすぐ始まると、第１注水孔２４ｂは洗剤ケース１９の上方に位置するため洗剤ケース１９を取り出す際に手に水が掛かる。また、洗剤ケース１９を引き出して粉末洗剤投入部２７に粉末洗剤を投入する際に粉末洗剤を運ぶ計量スプーンにも水が掛かり、その結果、計量スプーンを粉末洗剤の袋又は箱に戻した際に使用前の粉末洗剤を濡らして固化させてしまうことになる。これを防止するために、洗剤量を表示後に、すぐ給水を開始せずに、３０秒間の待機時間を設けており、その待機時間の間に、使用者は、洗剤ケース１９を注水ケース２１から引き出し、注水ケース２１の粉末洗剤投入部２７に所定量の粉末洗剤を投入した後、洗剤ケース１９を注水ケース２１に収納する（ステップＳ７）。待機時間が終了すると、給水が始まり（ステップＳ８）、所定の水位に達すると、設定したコース内容の運転が開始する（ステップＳ９）。
【００４０】
なお、本実施の形態では、待機時間を３０秒としたが、容量など洗濯機の実態に合わせて、所定の時間を設定しても良い。
【００４１】
以上のように、本実施の形態においては、行程運転開始時において、洗濯兼脱水槽に投入された洗濯物の量を布量判定手段により判定し、判定した布量に応じた洗剤量を表示部に表示し、所定の時間を経過した後に、給水弁による給水を開始するようにしたことにより、洗剤ケースを引き出して洗剤を入れようとした時に、洗剤を投入するためのスプーンや手に給水の水が掛かるのを防止して洗剤を投入することできるので、濡れたスプーンを洗剤箱内に戻した時に洗剤が濡れて固化させることを防止できる。
【産業上の利用可能性】
【００４２】
以上のように、本発明にかかる洗濯機は、洗剤ケースを引き出して洗剤を入れようとした時に、手及び洗剤を運ぶ計量スプーンを濡らすことがないので、洗剤ケースを有する他の洗濯機の用途に適用できる。
【符号の説明】
【００４３】
１  洗濯機本体
３  水槽
５  洗濯兼脱水槽
８  パルセータ
１０  モータ
１４  上部枠体
１８  給水弁
１９  洗剤ケース
２１  注水ケース
２２  注水装置
２３  注水部
２３ｄ  前面壁
２３ｅ  底面壁
２４ａ  第２注水孔
２４ｂ  第１注水孔
２５  流水面
２７  粉末洗剤投入部
２９  操作表示部
３０  表示部
３１  入力設定部
【図１】
2014176447.tif 000003
【図２】
2014176447.tif 000004
【図３】
2014176447.tif 000005
【図４】
2014176447.tif 000006
【図５】
2014176447.tif 000007
【図６】
2014176447.tif 000008